(57)【要約】      （修正有）【課題】第２コネクタが、主回路用に必要な接触要素および接続可能性のみを有していればよく、しかも第１コネクタ上の対応するロック手段と相互に作用し且つ第２コネクタ上に第１コネクタを接続状態に係止するロック手段のみを有するコネクタアッセンブリを提供する。【解決手段】スライダー２２は係止手段２８を有し、該係止手段は、第１コネクタ１と第２コネクタ２が接続せず、そのため第１ロック手段１５および第２ロック手段が係合していない間、第１ロック手段に支持され、且つ第１位置にスライダー２２を係止し、そして係止手段は、第１ロック手段が第２ロック手段と係合するとき、第２接触要素が第２相手方接触要素と接続される第２位置にスライダー２２が移動可能なように、該スライダー２２を解き放す。【選択図】図４
2008235253.tif 000002
【特許請求の範囲】
【請求項１】
第１コネクタ（１）と、第２コネクタ（２）と、を備えるコネクタアッセンブリであって、
前記第１コネクタ（１）は、第１端（５）および第２端（６）を持つ第１ハウジング（４）を有し、当該第１ハウジング（４）は、第１接触要素（８）用の第１収容室（７）と、各々第２接触要素（１２）用の２つの第２収容室（１１）と、第１ロック手段（１５）と、を有し、
前記第１コネクタ（１）は、スライダー（２２）を有し、当該スライダー（２２）は、前記第２端（６）側に向かって前記第１端（５）側から離れる方向に且つ第１位置と第２位置との間を逆方向に前記第１ハウジング（４）上を制限された状態でリニアに変位自在であり、
前記スライダー（２２）は２つのレセプタクル（２３）を有し、各レセプタクル（２３）は２つの第２相手方接触要素（２６）のいずれか一方のために設けられており、前記２つの第２相手方接触要素（２６）は互いに電気的に導通接続されるものであり、
前記第２コネクタ（２）は、前記第１接触要素（８）に係合する第１相手方接触要素（３６）のために前記第１収容室（７）に対応して配置された第３収容室（４０）を持つ第２ハウジング（３４）を有し、
前記第２コネクタ（２）は、前記第１コネクタ（１）と前記第２コネクタ（２）との接続状態において前記第１ロック手段（１５）と係合する第２ロック手段（４１）を有しており、
前記スライダー（２２）は係止手段（２８）を有し、該係止手段（２８）は、前記第１コネクタ（１）と前記第２コネクタ（２）が接続せず、そのため前記第１ロック手段（１５）および前記第２ロック手段（４１）が係合していない間、前記第１ロック手段（１５）に支持され、且つ前記第１位置に前記スライダー（２２）を係止し、そして前記係止手段（２８）は、前記第１ロック手段（１５）が前記第２ロック手段（４１）と係合するとき、前記第２接触要素（１２）が前記第２相手方接触要素（２６）と接続される前記第２位置に前記スライダー（２２）が移動可能なように、該スライダー（２２）を解き放す、
コネクタアッセンブリ。
【発明の詳細な説明】
【技術分野】
【０００１】
本発明は、第１コネクタと第２コネクタとを備え、該第１コネクタおよび該第２コネクタがそれぞれ第１接触要素または第１相手方接触要素を収容し、該第１接触要素または該第１相手方接触要素が、第１コネクタと第２コネクタとが互いに接続される際に、互いに接続されるコネクタアッセンブリに関する。リニアに変位自在なスライダーが第１コネクタには付加的に配置されている。該スライダーは、両コネクタが互いに完全な接続位置に到達したことが示される信号回路を閉じる該完全な接続位置を両コネクタがとった後に、完全接続状態を表わす位置に移動可能である。
【背景技術】
【０００２】
特許文献１は、第１コネクタを備えたコネクタアッセンブリを開示する。第１コネクタは、第１端および第２端を持つ第１ハウジングを有する。第１ハウジングは、第１接触要素用の複数の第１収容室と、スライダーに配置される第２接触要素用の複数の第２収容室と、を備える。スライダーは、第１ハウジング上を第１端側から離れて第２端の方向へおよびその逆の方向へ、第１位置と第２位置との間を制限的にリニアに変位自在である。第１コネクタに接続可能であり且つ第２ハウジングを備える第２コネクタが設けられている。第２ハウジングには第１収容室に対応して配置された第３収容室が設けられている。これらの第３収容室には、第１接触要素に適合した第１相手方接触要素が収容されている。
【０００３】
更に、第２ハウジングでは、第１相手方接触要素用の第３収容室が配置される領域から分離され、第２相手方接触要素が設けられた収容室が、スライダーに配置される第２接触要素に対応して形成されている。第２相手方接触要素と同様に第２接触要素も信号線にそれぞれ接続されている。２つのコネクタを接続するとき、第１コネクタの第１ハウジング上のロック手段が第２コネクタの第２ハウジング上の第２ロック手段と係合する。このように、スライダーは解放され、そしてスライダーの第２接触要素は第２コネクタ上の第２相手方接触要素に電気的に導通接続されることができ、それにより信号回路が閉じられる。接続状態は、適宜な制御により、表示されるか、あるいは、第１接触要素および第１相手方接触要素と接続した電線のための主回路が閉じられるように、用いられる。
【０００４】
この実施形態の欠点は、信号回路に属するスライダー上の接触要素が第１コネクタに配置されねばならないということに加えて、信号回路用の相手方接触要素が第２コネクタ上にも設けられていなければならないことである。これは、例えば自動車用の部品や装置に多くの場合設けられる複数のインターフェースを第２コネクタという形態で利用できないということであって、それらが相手方接触要素のための接続可能性を持たないからである。
【０００５】
【特許文献１】独国特許発明第１０２００４０５７０９３ Ｂ３号明細書
【発明の開示】
【発明が解決しようとする課題】
【０００６】
したがって本発明の課題は、第２コネクタが、主回路用に必要な接触要素および接続可能性のみを有していればよく、しかも第１コネクタ上の対応するロック手段と相互に作用し且つ第２コネクタ上に第１コネクタを接続状態に係止するロック手段のみを有するコネクタアッセンブリを提供することにある。
【課題を解決するための手段】
【０００７】
この課題は、本発明によれば、以下のコネクタアッセンブリにより解決される。
即ち、第１コネクタと、第２コネクタと、を備えるコネクタアッセンブリであって、
前記第１コネクタは、第１端および第２端を持つ第１ハウジングを有し、当該第１ハウジングは、第１接触要素用の第１収容室と、各々第２接触要素用の２つの第２収容室と、第１ロック手段とを有し、
前記第１コネクタは更にスライダーを有し、当該スライダーは、前記第１端側から前記第２端側に向かって離れる方向に且つ第１位置と第２位置との間を逆方向に前記第１ハウジング上を制限された状態でリニアに変位自在であり、
前記スライダーは２つのレセプタクルを有し、各レセプタクルは２つの第２相手方接触要素のいずれか一方のために設けられており、前記２つの第２相手方接触要素は互いに電気的に導通接続されるものであり、
前記第２コネクタは、前記第１接触要素に係合する第１相手方接触要素のために前記第１収容室に対応して配置された第３収容室を持つ第２ハウジングを有し、
前記第２コネクタは、前記第１コネクタと前記第２コネクタとの接続状態において前記第１ロック手段と係合する第２ロック手段を更に有しており、
前記スライダーは係止手段を有し、当該係止手段は、前記第１コネクタと前記第２コネクタが接続せず、そのため前記第１ロック手段および前記第２ロック手段が係合していない間、前記第１ロック手段に支持され、且つ前記第１位置に前記スライダーを係止し、そして前記係止手段は、前記第１ロック手段が前記第２ロック手段と係合するとき、前記第２接触要素が前記第２相手方接触要素と接続される前記第２位置に前記スライダーが移動可能なように、該スライダーを解き放す、
コネクタアッセンブリ。
【０００８】
上記構成の利点は、両コネクタを互いに接続させたときに信号回路を閉じることができるようにするために必要なすべての手段を、通常ワイヤハーネスに配置されている一方のコネクタに配置するだけでよく、即ち、第１コネクタに配置するだけでよいことである。例えば規格化されたインターフェースを変更する必要がないので有利であり、即ち、通常自動車の部品や装置と接続されているコネクタを変更する必要がないので有利である。これが意味することは、この種の第２コネクタの構成が同一であっても、必要に応じて当該第２コネクタに異なる構成の第１コネクタを配置することができるということであり、例えば、第２コネクタとのロックのみを必要とするような第１コネクタ、或いは、差込み式のものであれば、その接続状態を遠方からチェックできるような第１コネクタ、或いは、プラグが接続されてはじめて作動する手段を補助的に具備していることのできる、本発明にしたがって設けられるような高電流型の第１コネクタを配置することができるということである。前記手段とは、制御回路を閉じさせる手段を備えたスライダーである。このことは、安全上の理由または他の理由から、まず第１接触要素と第１相手方接触要素との接続を行ない、時間的にずらしてはじめて、制御回路に配置された第２接触要素と第２相手方接触要素とを接続させることが必要であるようなすべてのコネクタアッセンブリに対し、高い安全性を提供する。スライダーに設けた係止手段は、第１コネクタに設けた第１ロック手段と連動することで、第１ロック手段を第２ロック手段とロックさせるとき、即ち、係合させるとき、或いは係合させたときにはじめて、スライダーを制御回路閉路位置へ移行させることを可能にする。これにより、両コネクタがその最終的な接続位置を占めたことが明らかになる。この時点ではじめてスライダーは解放されてその第２位置へ移行することができる。
【０００９】
好ましくは、前記第２ロック手段は第２ハウジング上の突起より代表されているのがよい。当該突起は第２ロック面および接触面を有する。好ましくは、前記第１ロック手段は第１弾性変形可能ロックアームにより代表され、当該第１弾性変形可能ロックアームは、前記第１端側から、前記第２端側に向かって、離れる方向に延長し、且つ前記第１端に向かう方向で前記第１ハウジングと一体に接続され、且つ前記第２端に向かう方向で自由端を形成し、該自由端上には第１係合手段が設けられており、当該第１係合手段は、前記接続状態において、前記第２ロック手段を代表する前記第２ハウジング上の突起の後に係合する。この場合、前記第１ロックアームは好ましくは２つの平行なアーム部を含み、当該アーム部はクロス・バーにより前記自由端の所で接続されている。前記クロス・バーは第１係合手段を形成し、この場合第１係合手段はクロス・バーに設けた第１ロック面をも含んでいる。この第１ロック面は突起の第２ロック面の後方に着座し、その結果ロックアームが解放され、よって第１ハウジングは第２ハウジングに対し固定される。
【００１０】
有利なのは、前記係止手段が第２弾性変形可能ロックアームにより代表され、当該第２弾性変形可能ロックアームは、前記スライダーに一体に取り付けられ且つ、支持面を有しており、当該支持面は突起の一部であり、該突起により、第１ロックアームのクロス・バーが第２ハウジングの突起を通過しない限り、前記第２ロックアームが前記第１ロック面上で支持される場合である。好ましくは、前記第２ロックアームは前記第１ロックアームの平行な両アーム部分の間に配置されている。
【００１１】
一実施形態においては、前記突起は、前記スライダーを前記第１位置から前記第２位置に動かすとき、前記突起の当接面に当接し、そのため前記第２弾性変形可能ロックアームが変形され、しかも前記突起が、前記突起に沿って前記クロス・バーの後に係合する位置に移動させられるように構成されている。更に、前記突起を介して前記スライダーはその第２位置に固定される。また、前記第２ロックアームは、前記第１ロックアームを前記突起に対する係合位置で固定するためにも用いられる。
【００１２】
有利なのは、前記第１ハウジングの前記第２収容室が２つの平行なラグ内に配置されており、前記ラグは前記第１ハウジングと一体に形成され且つ接続端から第１端に向かう方向に前記第１ハウジングから延長しており、しかも前記スライダーに設けられた前記レセプタクルがチューブ状部の一部であり、これらチューブ状部が前記ラグ上を案内される場合である。これに加えて、前記第１ハウジングと前記スライダーとが当該スライダーをリニアに変位自在に案内する案内手段を有していてもよい。
【００１３】
好ましくは、前記第１コネクタはワイヤハーネスに接続するために働き、そして前記第２コネクタはワイヤハーネスを介して接続される部品あるいは装置が接続され且つ電気的に駆動されるように配置されているのがよい。
【００１４】
本発明によるコネクタアッセンブリの好ましい適用分野は自動車である。
【発明を実施するための最良の形態】
【００１５】
本発明の好適な実施形態が図面に図示されている。
【００１６】
図１は、第１コネクタ１と第２コネクタ２とを、軸線３上で心合わせされているものの接続されていない状態で示したものである。この場合、スライダー２２は、第１コネクタ１の第１ハウジング４の第１端５に接近している第１位置にある。接続のため、両コネクタ１，２を軸線３に沿って互いに向かい合うように移動させる。その際、第１コネクタ１の、第１接触要素が配置されている部分は、第２コネクタ２の、対応する第１相手方接触要素がある収容室内へ進入する。この場合、第１接触要素と第１相手方接触要素とは互いに電気的に導通接続される。なお、両ハウジングもその端部位置に達したときに互いにロックされる。このために用いる手段を、以下に図２から図９までを用いて詳細に説明する。
【００１７】
まず、第１コネクタ１とその構成要素とを図２から図６までを用いて詳細に説明する。
【００１８】
第１コネクタ１は第１ハウジング４を含んでおり、第１ハウジング４は第１端５と第２端６とを有している。
【００１９】
第１ハウジング４は外側ハウジング部分から切り離された内側ハウジング部分を有し、内側ハウジング部分内には第１収容室７があり、第１収容室７は第２端６から接近可能で、第１収容室７内には第１接触要素８（図示せず）が収容されている。
【００２０】
第１ハウジング４の前記外側部分と前記内側部分との間には自由空間がある。
【００２１】
第１ハウジング４には、外面に、２つのラグ９が成形されている。当該ラグ９はその接続端１０において第１ハウジング４と一体に実施されている。これらラグ９は軸線３に平行に延在している。それぞれのラグ９には第２収容室１１があり、第２収容室１１は第１端５のほうへ開口している。第２端６側では、接続端１０に設けられている穴であって第２収容室１１と連通している前記穴に接続ケーブルを挿入することができ、即ち、第１ケーブル１３または第２ケーブル１４を挿入することができる。これらのケーブル１３，１４は制御回路に帰属しており、それぞれその端部において、第２収容室１１内に配置されている第２接触要素１２と電気的に導通接続している。
【００２２】
特に図３からわかるように、第１ハウジング４には、第１ロック手段を形成する第１ロックアーム１５が成形されている。この第１ロックアーム１５は２つの平行なアーム部１８を有し、これらのアーム部１８は、第１端５の方向に、第１ハウジング４と結合される端部１７を有している。第２端６の方向では第１ロックアーム１５は自由端１６を有している。この自由端１６において前記両アーム部１８はクロス・バー１９により互いに結合されている。したがって、両アーム部１８とクロス・バー１９との間には破断部２０が第１ロックアーム１５に存在している。第１ロックアーム１５は操作部３３を有している。クロス・バー１９は第１端５の方向に第１ロック面２１を有している。
【００２３】
第１コネクタ１にはスライダー２２が配置されている。スライダー２２は互いに平行に間隔を持って配置される２つのチューブ状部２４を有し、これらチューブ状部２４はブリッジ部２５により互いに結合されている。両チューブ状部２４内にはレセプタクル２３が設けられ、これらレセプタクル２３内にはそれぞれ第２相手方接触要素２６が収容され、第２相手方接触要素２６はラグ９に設けた第２接触要素１２に整合するように形成されている。両第２相手方接触要素２６は、ブリッジ部２５を貫通して延在している電気的導通接続部２７により互いに接続されている。
【００２４】
両チューブ状部２４は両ラグ９上をリニアに変位自在に案内され、より厳密には、方向的に、第１端５に接近した第１位置とこれに対し更に第２端６方向に変位した第２位置との間を変位自在に案内されている。即ち、スライダー２２は、方向的に、第１端５と第２端６との間を制限的に変位自在である。
【００２５】
スライダー２２には、保持手段として第２ロックアーム２８が配置されている。第２ロックアーム２８はスライダー２２のブリッジ部２５と一体に形成されており、且つ両チューブ状部２４の間の中央に延在しており、より厳密には、ブリッジ部２５を起点として第１端５から離れる方向に第２端６のほうへ延在している。第２ロックアーム２８はブリッジ部２５から離間した自由端に突起３０を備え、突起３０には支持面２９が設けられている。支持面２９は第１ロックアーム１５のクロス・バー１９に設けた第１ロック面２１と協働する。スライダー２２は、補助的に、スライダー２２に設けた第２案内手段３２（図６を参照）を介して第１ハウジング４の第１案内手段３１で案内されている。第２ロックアーム２８は第１ロックアーム１５の両アーム部１８の間に配置されている。
【００２６】
スライダー２２は、図２から図５までに図示した位置では、第１端５に接近した位置にあり、その際その第２ロックアーム２８はその支持面２９によって第１ロックアーム１５のクロス・バー１９に設けた第１ロック面２１に対し支持され、これによりこの第１位置で保持される。
【００２７】
この第１位置においては、特に図５からわかるように、第２接触要素１２は、それぞれ１つのレセプタクル２３内にある第２相手方接触要素２６からまだ切り離された状態にある。
【００２８】
図６から、スライダー２２は両チューブ状部２４とこれらチューブ状部を結合させているブリッジ部２５とを備えた独立した部材であることがわかる。第２相手方接触要素２６（図３参照）を収容するためのレセプタクル２３も見て取れる。更に、第２ロックアーム２８がブリッジ部２５を起点として延在してその端部に突起３０を担持し、当該突起３０に支持面２９が設けられていることもわかる。また、第２ロックアーム２８に対し平行に延在する第２案内手段３２も見て取れる。
【００２９】
第２ロックアーム２８は弾性変形可能である。同様に第１ロックアーム１５も弾性変形可能であり、その結果その自由端１６は第１ハウジング４に多少接近することができるが、しかし以下に述べるように、第２コネクタに設けた第２ロック手段に対する係合位置に対応する弛緩位置を常に自動的に占める。
【００３０】
図７に縦断面図で示した第２コネクタ２は、収容室３５を備えた第２ハウジング３４を含んでいる。収容室３５内には第１相手方接触要素３６がある。第１相手方接触要素３６は第１コネクタ１の第１接触要素８に適合するよう構成され且つ指向しており、第１コネクタ１と第２コネクタ２とを接続する際に第１接触要素と電気的に導通接続する。
【００３１】
収容室３５は被覆部３８によって取り囲まれ、被覆部３８の外面には、図１の軸線３に対し平行に延在しているトンネル部３９が設けられている。第１コネクタ１と第２コネクタ２とを接続させるには、第２コネクタ２の開口端３７を第１コネクタ１の第２端６のほうへ向ける。
【００３２】
トンネル部３９は軸線３の方向に開口している。トンネル部３９は、そのカバー部に、被覆部３８のほうへ突出する突起４１を担持している。突起４１は第２ロック手段を形成し、開口端３７を起点とする接触面４３を有している。接触面４３は、これに対しほぼ直角に延在し且つ被覆部３８から離れる方向に延在している第２ロック面４２で終わっている。第１相手方接触要素３６は第２ハウジング３４の第３収容室４０内に配置されている。
【００３３】
次に、２つの図面、図８と図９とを用いて両コネクタの接続について詳細に説明する。まず、両コネクタ１，２を互いに向き合うように移動させる。その際、第１コネクタ１の一部は第２コネクタ２の開口端３７内へ挿入され、よって第２コネクタ２の収容室３５内へ挿入される。この場合、第１接触要素１２と第１相手方接触要素３６とが互いに電気的に導通接続する。同時に、第１ロックアーム１５はそのクロス・バー１９によって突起４１に接近する。接続の際、クロス・バー１９は接触面４３に到達し、第１ロックアーム１５は被覆部３８の外面の方向へ移動する。その際、第１ロックアーム１５はトンネル部３９内へ進入する。両コネクタ１，２を更に嵌合させると、クロス・バー１９に引き続き、スライダー２２の第２ロックアームの突起３０も接触面４３に到達する。よって、図８に図示した接続状態が達成される。
【００３４】
第１ロックアーム１５が、クロス・バー１９が突起４１を通過した位置に到達すると、第１ロックアーム１５は再びその弛緩標準位置を占めることができ、これにより、クロス・バー１９に設けられた第１ロック面２１が突起４１の後方に着座し、その結果第１ロック面２１は、突起４１に設けられた第２ロック面４２に対向する。これによって両ハウジング４，３４は互いにロックされた状態になる。これと同時に、第２ロックアーム２８も接触面４３への乗り上げによって偏位するので、手でスライダー２２を第１端５から離れる方向に第２端６の方向へスライドさせると、スライダー２２はその第１位置から離れて第２位置へ移行することができる。その際、第２ロックアーム２８の突起３０は突起４１とそのすぐ後ろにある第１ロックアーム１５のクロス・バー１９との双方を越えて、クロス・バー１９の後方に着座し、この場合第２ロックアーム２８は弛緩し、即ち、その出発位置を再び占める。これによりスライダー２２は、第２端６に接近した第２位置において、突起３０によりクロス・バー１９に固定される。したがって、図９に図示した接続状態が達成される。なお、第１ロックアーム１５の操作部３３はカバー部２５によって覆われ、不慮に操作されることはない。
【００３５】
この運動の際、ラグ９に設けられている第２接触要素１２は、電気的接続部２２を介して互いに電気的に導通接続されている第２相手方接触要素２６と電気的に導通接続し、その結果当初互いに切り離されていたケーブル１３，１４を備える制御回路が閉じられる。この制御回路を閉じるのは、例えば、第１接触要素８と第１相手方接触要素３６とを接続させることにより閉じられる２つの制御回路に電流を流すことができるようにするための制御機能を生じさせるためである。両コネクタ１，２の接続を解除するには、まずスライダー２２を手で、第１端５に接近する第１位置へ戻さねばならない。その後、第１ロックアーム１５に設けた操作部３３を手で押すと、第１ロック面２１を備えたクロス・バー１９により、突起４１の第２ロック面４２の外側の領域へ到達して、コネクタ１，２を互いに引き離すことができる。即ち、まず制御回路を切り離して主制御回路をオフにし、その結果非通電状態で両コネクタ１，２の切り離しを行なう。
【００３６】
ここで、上述した本発明のコネクタアッセンブリの特徴それぞれを以下ｉ項〜ｖｉｉｉ項に簡潔に纏めて列記する。
【００３７】
［ｉ］
第１コネクタ（１）と、第２コネクタ（２）と、を備えるコネクタアッセンブリであって、
前記第１コネクタ（１）は、第１端（５）および第２端（６）を持つ第１ハウジング（４）を有し、当該第１ハウジング（４）は、第１接触要素（８）用の第１収容室（７）と、各々第２接触要素（１２）用の２つの第２収容室（１１）と、第１ロック手段（１５）と、を有し、
前記第１コネクタ（１）は、スライダー（２２）を有し、当該スライダー（２２）は、前記第２端（６）側に向かって前記第１端（５）側から離れる方向に且つ第１位置と第２位置との間を逆方向に前記第１ハウジング（４）上を制限された状態でリニアに変位自在であり、
前記スライダー（２２）は２つのレセプタクル（２３）を有し、各レセプタクル（２３）は２つの第２相手方接触要素（２６）のいずれか一方のために設けられており、前記２つの第２相手方接触要素（２６）は互いに電気的に導通接続されるものであり、
前記第２コネクタ（２）は、前記第１接触要素（８）に係合する第１相手方接触要素（３６）のために前記第１収容室（７）に対応して配置された第３収容室（４０）を持つ第２ハウジング（３４）を有し、
前記第２コネクタ（２）は、前記第１コネクタ（１）と前記第２コネクタ（２）との接続状態において前記第１ロック手段（１５）と係合する第２ロック手段（４１）を有しており、
前記スライダー（２２）は係止手段（２８）を有し、該係止手段（２８）は、前記第１コネクタ（１）と前記第２コネクタ（２）が接続せず、そのため前記第１ロック手段（１５）および前記第２ロック手段（４１）が係合していない間、前記第１ロック手段（１５）に支持され、且つ前記第１位置に前記スライダー（２２）を係止し、そして前記係止手段（２８）は、前記第１ロック手段（１５）が前記第２ロック手段（４１）と係合するとき、前記第２接触要素（１２）が前記第２相手方接触要素（２６）と接続される前記第２位置に前記スライダー（２２）が移動可能なように、該スライダー（２２）を解き放す、
コネクタアッセンブリ。
［ｉｉ］
前記第２ロック手段（４１）は第２ハウジング（３４）上の突起（４１）により代表され、当該突起（４１）が第２ロック面（４２）および接触面（４３）を有することを更に特徴とする上記［ｉ］のコネクタアッセンブリ。
［ｉｉｉ］
前記第１ロック手段（１５）は第１弾性変形可能ロックアーム（１５）により代表され、当該第１弾性変形可能ロックアーム（１５）は、前記第１端（５）側から前記第２端（６）側に向かって離れる方向に延長し、且つ前記第１端（５）に向かう方向で前記第１ハウジング（４）と一体に接続され、且つ前記第２端（６）に向かう方向で自由端（１６）を形成し、該自由端（１６）上には第１係合手段（１９，２１）が設けられており、当該第１係合手段（１９，２１）は、前記接続状態において、前記第２ロック手段を代表する前記第２ハウジング（３４）上の突起（４１）の後に係合することを更に特徴とする上記［ｉ］または［ｉｉ］のコネクタアッセンブリ。
［ｉｖ］
前記第１ロックアーム（１５）は２つの平行なアーム部（１８）を含み、当該アーム部（１８）はクロス・バー（１９）により前記自由端（１６）の所で接続されており、前記クロス・バー（１９）は、第１ロック面（２１）を含む第１係合手段を形成することを更に特徴とする上記［ｉｉｉ］のコネクタアッセンブリ。
［ｖ］
前記係止手段（２８）は第２弾性変形可能ロックアーム（２８）により代表され、当該第２弾性変形可能ロックアーム（２８）は、前記スライダー（２２）に一体に取り付けられ且つ、支持面（２９）を有しており、当該支持面（２９）は突起（３０）の一部であり、該突起（３０）により前記第２ロックアーム（２８）が前記第１ロック面（２１）上で支持されることを更に特徴とする上記［ｉ］または［ｉｉｉ］のコネクタアッセンブリ。
［ｖｉ］
前記突起（３０）は、前記スライダー（２２）を前記第１位置から前記第２位置に動かすとき、前記突起（４１）の当接面（４３）に当接し、そのため前記第２弾性変形可能ロックアーム（２８）が変形され、しかも前記突起（３０）が、前記突起（４１）に沿って前記クロス・バー（１９）の後に係合する位置に移動させられることを更に特徴とする上記［ｖ］のコネクタアッセンブリ。
［ｖｉｉ］
前記第１ハウジング（４）の前記第２収容室（１１）は２つの平行なラグ（９）内に配置されており、前記ラグ（９）は前記第１ハウジング（４）と一体に形成され且つ接続端から第１端（１０）に向かう方向に前記第１ハウジング（４）から延長しており、しかも前記スライダー（２２）に設けられた前記レセプタクル（２３）がチューブ状部（２４）の一部であり、これらチューブ状部（２４）が前記ラグ（９）上を案内されることを更に特徴とする上記［ｉ］のコネクタアッセンブリ。
［ｖｉｉｉ］
前記第１コネクタ（１）はワイヤハーネスに接続するために働き、そして前記第２コネクタ（２）は部品あるいは装置が接続され且つ電気的に駆動されるように配置されていることを更に特徴とする上記［ｉ］のコネクタアッセンブリ。
【図面の簡単な説明】
【００３８】
【図１】両コネクタを接続状態で軸線上に整列させて示した図であり、第１コネクタに設けたスライダーが第１位置にある図である。
【図２】第１コネクタのみの斜視図である。
【図３】第１コネクタハウジングに設けた第１ロック手段が見えるように切断した断面図である。
【図４】スライダーの第２ロックアームが第１位置で第１ロックアームで相互に支持されているのが見えるように切断した第１コネクタの縦断面図である。
【図５】第２接触要素と第２相手方接触要素との配置構成が見えるように切断した第１コネクタの他の縦断面図である。
【図６】独立した部材としてのスライダーを示す図である。
【図７】第２コネクタの縦断面図である。
【図８】両コネクタを接続状態で示した図１に対応する図であるが、スライダーがまだ第１位置にあり、他方両コネクタはすでに互いに接続されてそのロック手段が係合している状態を縦断面で示したものである。
【図９】図８に対応する縦断面図であるが、スライダーが第２位置に移行している図である。
【符号の説明】
【００３９】
１  第１コネクタ
２  第２コネクタ
３  軸線
４  第１ハウジング
５  第１端
６  第２端
７  第１収容室
８  第１接触要素
９  ラグ
１０  接続端
１１  収容室
１２  第２接触要素
１３  第１ケーブル
１４  第２ケーブル
１５  第１ロックアーム／第１ロック手段
１６  自由端
１７  接続端
１８  アーム部
１９  クロス・バー
２０  破断部
２１  第１ロック面
２２  スライダー
２３  レセプタクル
２４  チューブ状部
２５  ブリッジ部
２６  第２相手方接触要素
２７  電気的導通接続部
２８  第２ロックアーム
２９  支持面
３０  突起
３１  第１ハウジングに設けた第１案内手段
３２  スライダーに設けた第２案内手段
３３  操作部
３４  第２ハウジング
３５  収容室
３６  第１相手方接触要素
３７  開口端
３８  被覆部
３９  トンネル部
４０  第３収容室
４１  突起／第２ロック手段
４２  第２ロック面
４３  接触面
【図１】
2008235253.tif 000003
【図２】
2008235253.tif 000004
【図３】
2008235253.tif 000005
【図４】
2008235253.tif 000006
【図５】
2008235253.tif 000007
【図６】
2008235253.tif 000008
【図７】
2008235253.tif 000009
【図８】
2008235253.tif 000010
【図９】
2008235253.tif 000011
【外国語明細書】
2008235253.tif 000012
2008235253.tif 000013
2008235253.tif 000014
2008235253.tif 000015
2008235253.tif 000016
2008235253.tif 000017
2008235253.tif 000018
2008235253.tif 000019
2008235253.tif 000020
2008235253.tif 000021
2008235253.tif 000022
2008235253.tif 000023
2008235253.tif 000024
2008235253.tif 000025
2008235253.tif 000026
2008235253.tif 000027
2008235253.tif 000028
2008235253.tif 000029
【図１】
2008235253.tif 000030
【図２】
2008235253.tif 000031
【図３】
2008235253.tif 000032
【図４】
2008235253.tif 000033
【図５】
2008235253.tif 000034
【図６】
2008235253.tif 000035
【図７】
2008235253.tif 000036
【図８】
2008235253.tif 000037
【図９】
2008235253.tif 000038